(57)【要約】  画像処理の方法、装置およびシステムは、登録された画像を形成するために少なくとも画像のブロックに対する成分画像を登録するように構成された登録デバイスを含む。品質制御デバイスは、登録された画像を受信し、登録された画像を検査し、登録された画像の部分を修正して、登録された画像の位置合わせを改善するように構成されている。本発明の一実施形態では、品質制御デバイスは、品質制御デバイスにより修正された画像を再登録するために、登録デバイスに命令を伝達することを含む品質制御機能を実行するためのユーザ制御を含む。ユーザ制御は、必要な品質改善変更を行うために特別に構成された制御パネルを含み得る。
2009519676.tif 000002
【特許請求の範囲】
【請求項１】
画像登録の方法であって、
画像に対して登録される色成分を提供するステップと、
各色成分をブロックに分割するステップと、
他のブロックと重なり合うブロックおよび重なり合わないブロックを決定するステップと、
前記ブロックおよび前記色成分を再結合して、前記色成分およびブロックの間の登録を検査するステップと、
登録を改善するために少なくとも１つのブロックを修正するステップと、
前記ブロックを再登録するステップと
を備えることを特徴とする方法。
【請求項２】
異なるブロック位置を表示し、登録を最も改善するブロック位置を選択するステップをさらに備えることを特徴とする請求項１に記載の方法。
【請求項３】
画像オプションおよびエッジオプションの間で選択して、登録を最も改善するブロック位置を決定するステップをさらに備えることを特徴とする請求項１に記載の方法。
【請求項４】
再登録するステップは、制御パネルから登録デバイスに登録命令を発行するステップを含むことを特徴とする請求項１に記載の方法。
【請求項５】
前記ブロックを修正して登録を改善するステップは、制御パネルを使用してブロックを手動で調整するステップを含むことを特徴とする請求項１に記載の方法。
【請求項６】
画像処理のシステムであって、
登録される画像を形成するために成分画像を登録するように構成された登録デバイスと、
前記登録される画像を受信し、前記登録される画像を検査し、かつ前記登録される画像の少なくとも一部を修正して、前記登録される画像の位置合わせおよび強化のうちの少なくとも１つを改善するように構成された品質制御デバイスであって、該品質制御デバイスは、少なくとも１つの品質制御機能を実行するために、少なくとも１つのユーザ制御を含む、品質制御デバイスと
を備えることを特徴とするシステム。
【請求項７】
前記品質制御デバイスに入力される前に前記登録される画像を記憶する記憶デバイスをさらに備えることを特徴とする請求項６に記載のシステム。
【請求項８】
前記成分画像は、イエロー、シアン、およびマゼンタ成分のうちの少なくとも２つを含むことを特徴とする請求項６に記載のシステム。
【請求項９】
前記画像の前記少なくとも一部は、前記画像のブロックを含み、前記成分画像の間の登録を改善するために前記ブロックが修正されることを特徴とする請求項６に記載のシステム。
【請求項１０】
前記登録デバイスは、前記画像成分の各々をブロックに分割し、前記品質制御デバイスは、登録を改善するために個々のブロックを対話式に修正する制御を含むことを特徴とする請求項６に記載のシステム。
【請求項１１】
前記登録デバイスは、前記品質制御デバイスからの再登録命令に従って前記個々の１つまたは複数のブロックを再登録するように構成されていることを特徴とする請求項６に記載のシステム。
【請求項１２】
画像登録の制御パネルであって、
画像の少なくとも一部の少なくとも色成分を表示するように構成されたディスプレイと、
前記色成分の少なくとも１つの選択を可能にするように構成された選択手段と、
前記色成分の登録に対する調整を行うために前記色成分の操作を可能にするように構成された少なくとも１つの制御手段と、
を備えることを特徴とする制御パネル。
【請求項１３】
前記少なくとも１つの制御手段は、ソフトウェアで実装されていることを特徴とする請求項１２に記載の制御パネル。
【請求項１４】
前記少なくとも１つの制御手段は、機械的な制御機構を介して実装されていることを特徴とする請求項１２に記載の制御パネル。
【請求項１５】
前記少なくとも１つの制御手段は、検索範囲制御、ブロック移動制御、ブロックハイライト制御、およびブロックサイズ制御のうちの少なくとも１つを含むことを特徴とする請求項１２に記載の制御パネル。
【請求項１６】
前記少なくとも１つの制御手段は、画像前進制御、停止画像制御、および再生制御のうちの少なくとも１つを含むことを特徴とする請求項１２に記載の制御パネル。
【請求項１７】
前記少なくとも１つの制御手段は、イエロー、シアン、およびマゼンタ色成分の間で選択するための制御手段を含むことを特徴とする請求項１２に記載の制御パネル。
【請求項１８】
前記少なくとも１つの制御手段は、ブロック重なり合わせ決定制御手段を含むことを特徴とする請求項１２に記載の制御パネル。
【請求項１９】
機械により可読なプログラム記憶媒体であって、
画像に対して色成分の登録を提供するステップと、
各色成分をブロックに分割するステップと、
他のブロックと重なり合うブロックおよび重なり合わないブロックを決定するステップと、
前記ブロックおよび前記色成分を再結合して、前記色成分およびブロックの間の登録を検査するステップと、
登録を改善するために少なくとも１つのブロックを修正するステップと、
前記ブロックを再登録するステップと
を実行するために前記機械によって実行可能な命令のプログラムを明白に具現化することを特徴とするプログラム記憶媒体。
【発明の詳細な説明】
【技術分野】
【０００１】
本発明は、一般に、画像編集のツールおよび方法に関し、より詳細には、成分色画像を登録する能力を提供するグラフィカルユーザインターフェースのツール、システムおよび方法に関する。
【背景技術】
【０００２】
映画産業、写真撮影、映像その他等の視覚画像を提供する産業では、しばしば画像が後処理されて改善される。後処理は、画像またはフィルムの元の状態を変更する多数の手順を含み得る。後処理では、画像を構成サブ画像に細分化することがしばしば有用である。構成サブ画像は、例えば、色成分またはストリップ（strips）を含み得る。これは、イエロー、シアンおよびマゼンタ（ＹＣＭ）処理等の３ストリップ処理を含み得る。
【０００３】
フィルムの長期間保管および色あせ速度の低減のために、カラーフィルムは、シアン、マゼンタおよびイエローの３つの色成分に分離されている。各色成分は、リール上に保存される。カラーフィルムは、３つの別個の単色リールに保存される。フィルムまたは何らかのその他のアプリケーションを再公開する時が来ると、３色成分が再結合される必要がある。時間と共にフィルムは幾何学的に縮小または変形する。リールの異なる部分では縮小が異なり、リール間で確実に異なっている。少なくとも印刷物上で変形が線形でないため、正しいカラーフィルムを得るためにこれらの３成分が登録される必要がある。そのような変形は、登録を困難にする。
【０００４】
３つの単色ストリップは、色付けされた成分画像を登録することまたは位置合わせすることによって再結合される必要がある。登録された画像に調整または補正を行うために品質制御（ＱＣ）が必要である。しかしながら、３つの成分画像は著しい非線形変形を有する可能性があり、手作業でめったに再一致しないため、ＱＣ作業は、非常に難しいか、または不可能でさえある。自動的な３ストリップ登録は、処理をより容易化し得るが、適切に整合的に位置合わせされることは、現在では、保証不可能である。ＱＣが最終検査に関して必要とされ、あらゆる不整合エッジが補正される。
【発明の開示】
【発明が解決しようとする課題】
【０００５】
ＹＣＭ登録の性質のために、容易で効果的な品質検査を可能にする改善された登録システムおよび方法を提供することの必要性が存在する。
【課題を解決するための手段】
【０００６】
本発明の一実施形態では、画像処理の方法および装置は、登録された画像を形成するために少なくとも画像のブロックに対する成分画像を登録するように構成された登録デバイスを含む。品質制御デバイスは、登録された画像を受信し、登録された画像を検査し、登録された画像の部分を修正して、位置合わせの改善および／または登録された画像の向上するように構成されている。品質制御デバイスは、品質制御デバイスにより修正された画像を再登録するための登録デバイスへの命令を含む品質制御機能を実行するためのユーザ制御を含む。ユーザ制御は、必要な品質改善変更を行うために特別に設計された制御パネルを含み得る。
【０００７】
本発明の代替的な実施形態では、画像登録の制御パネルは、少なくとも全画像、画像の色成分および／またはその上の画像のブロックを表示するように構成されたディスプレイ画面を含む。選択手段は、画像、画像の色成分、および／または画像のブロックのうちの少なくとも１つを選択することが可能であるように構成されている。ユーザ制御は、登録の調整を行うために画像、画像の色成分、および／または画像のブロックのうちの少なくとも１つを操作することが可能であるように提供されている。
【０００８】
本発明のさらに代替的な実施形態では、制御パネルを使用する画像登録の方法は、画像に対して登録された色成分を提供するステップと、パラメータに従って各色成分をブロックに分割するステップと、他のブロックと重なり合うブロックおよび重なり合わないブロックを決定するステップと、ブロックおよび色成分を再結合して、制御パネルを使用して色成分およびブロックの間の登録を検査するステップと、ブロックを修正して登録を改善するステップと、修正するステップに従って少なくとも１つのブロックを再登録するステップとを含む。
【０００９】
本発明の教示は、添付の図面と共に以下の詳細な説明を考察することによって容易に理解され得る。
【００１０】
図面は、本発明の概念を例示する目的のためのものであり、必ずしも本発明を示す唯一の可能な構成でないことを理解されたい。理解を容易化するために、複数の図面で共通する同一の構成要素を示すために、可能な場合には同一の参照番号が使用されている。
【発明を実施するための最良の形態】
【００１１】
本発明は、画像またはフィルムに対する色成分（ストリップ）を登録する装置、システム、および方法を有利に提供する。本発明は、主として映像処理／編集システムに関連して説明されるが、本発明の特定の実施形態が本発明の範囲を制限するものとして扱われるべきではない。本発明の概念が画像を処理可能なあらゆるシステムに適用可能な点で有利であることが、当業者に理解されるであろうし、本発明の教示により情報提供されるであろう。さらに、本発明の概念は、フィルム、ＤＶＤ、写真、その他に関する編集方法を含むあらゆる編集方法に適用可能である点で有利である。
【００１２】
図面に示される構成要素が、種々の形式のハードウェア、ソフトウェア、またはそれらの組合せで実装され得ることを理解されたい。これらの構成要素は、プロセッサ、メモリ、および入力／出力インターフェースを含み得る、１つまたは複数の適切にプログラミングされた汎用デバイス上のハードウェアおよびソフトウェアの組合せで実装されることが好ましい。
【００１３】
図１は、本発明の一実施形態による、登録および品質制御システム１０の高レベルブロック図を示す。図１の登録および品質制御システム１０では、イエロー、シアン、およびマゼンタ（ＹＣＭ）登録が例示的に説明されているが、別の画像登録技術および色成分（例えば、赤、緑、青（ＲＧＢ））が同様に採用されて本発明の教示から利益を得てもよい。図１の登録および品質制御システム１０では、レジスタ１２によりＹＣＭ自動登録が実行され得る。ＹＣＭ登録は、例えば、フィルム撮影後およびフィルム修復で使用される。品質検査（または制御）（ＱＣ）１６は、例えば、ＹＣＭ登録に関してグラフィカルユーザインターフェース（ＧＵＩ）２２を使用する。しかしながら、別の画像登録技術が同様に採用されて本発明の教示から利益を得てもよい。
【００１４】
ＧＵＩ ２２は、登録画像への微調整または補正を行うために用いられる。登録された画像はメモリ記憶デバイス１４に記憶され得る。メモリ記憶装置１４は、ハードドライブ、ＣＤ、フロッピー（登録商標）ディスク、その他等のあらゆる公知のメモリデバイスおよび媒体を含み得る。しかしながら、メモリ記憶装置１４は迂回（バイパス）されてもよく、レジスタ１２の出力が品質検査装置１６に直接的に伝達されてもよい。
【００１５】
好適な実施形態によると、ディスプレイデバイス１８を介したＧＵＩ ２２とＧＵＩ ２２の対話型制御とは、ＱＣ１６が、登録された画像のブロックを１つずつ移動させることを可能にする。ブロックが処理される度に、画像をレジスタ１２に送信する再登録命令２０を使用して画像が再登録され得る。再登録は、１つのブロック、複数のブロック、または画像を、全体として移動、修正、または調整した後に実行され得る。この結果は、ＱＣ処理の間、ディスプレイ１８上に同時に表示されることが可能であり、ＱＣは、全画像ではなくブロックの変更に基づいて判断を行うことが可能であるが、全画像登録も同様に実行され得る。
【００１６】
本発明の一実施形態では、画像がイエロー、シアン、およびマゼンタの３つの色成分に分解され、レジスタ１２に伝達される。色成分は、元のフィルムバージョンがスキャンされてよく、縮小および変形画像を含む。パラメータによっては、後処理画像制御を含み得るコントローラ２４によって設定される。例えば、強化、特性の付加、色成分の変更もしくは削除、対象の形状変更、色成分の位置合わせ、画像の再フォーマット、ブロックに関する重なりの調整、ブロックサイズの決定、欠陥の除去またはあらゆる他の制御がコントローラ２４によって実行され得る。登録された画像は、記憶装置１４に記憶されてよく、ディスプレイデバイス１８上にリアルタイムに、かつ／またはＱＣ１６による画像の作業の後に表示されてもよい。品質検査装置１６は、画像を検査し、元の画像との比較に基づいて、または所定の基準に基づいて、画像を拒絶するかまたは受け入れることができる。所定の基準は、色成分の位置合わせのずれに関する情報、対象の不適切な配色に関する情報、または所与の画像を製造するために必要なあらゆるその他の基準を含む。
【００１７】
画像がＱＣ１６によって拒絶される場合、必要とされる修正に応じて、いくつかのパラメータがＱＣ１６によって、またはレジスタ１２によって修正され得る。必要とされる修正が位置合わせのずれに起因する場合には、画像はＱＣ１６によって修正されて画像を適切に位置合わせするための修正パラメータと共にレジスタ１２に返される。再登録命令２０がレジスタ１２に送信され、画像は再度、登録される。この処理は、画像がＱＣ１２により受け入れられるまで繰り返され得る。
【００１８】
図１のシステム１０のＹＣＭレジスタ１２は、設定ファイル２６を有し、登録に関する情報の全てを含むログファイル２８を生成する。設定ファイル２６およびログファイル２８の情報は、全てのパラメータを再計算することなしにＹＣＭファイルを登録するために再使用され得る。さらに、ＱＣ１６は、同様にパラメータのうちのいくつかを修正し得る。ＱＣ１６は、自動制御を含んでもよいし、または代替的に手動制御を含んでもよく、そこでは人間の操作者が自分の経験を用いて画像の登録を改善し得る。
【００１９】
登録処理でＱＣ１６によって操作され得るパラメータのいくつかは、１．水平方向へのブロック数の調整／決定、２．垂直方向へのブロック数の調整／決定、３．ブロック重なり合い指示、４．ブロックの最良整合ベクトル（最良のブロック位置）、５．色成分指示、６．検索範囲、および同等物を含む。
【００２０】
変形の厳しさに応じて、画像がブロックに分割される必要がある。変形の非線形が無視できない場合には、画像は、特定数のブロックに分割される。１つのブロックは、その隣接するブロックといくらか重なり合っていてもよいし、あるいはまた、重なり合い部分を全く有さなくてもよい。ブロックの数は、画像の内容によって決定され得る。ブロックの数は大まかでよいが、高精度はより多くのブロックを必要とする。すなわち、より多くのブロックは、より小さいブロックサイズを必要とし、この、より小さいブロックサイズは、いくつかの登録を難しくする。例えば、本発明の一実施形態では、２Ｋ素材に関するブロックの数は、例えば、１×１、２×２、２×４、４×４、４×６、または４×８、その他とすることができる。しかしながら、通常、いずれの寸法（次元）でも８ブロックより多くは必要ない。
【００２１】
３つの色成分を登録するために、成分間の相関が見つけられる必要がある。相関を計算するために複数の方法がある。エッジ相関法（edge correlation）またはエッジ整合法（edge matching）は、エッジ検出およびエッジ整合が用いられる例である。あらゆる既存のエッジ検出技術、例えば、Ｃａｎｎｙエッジ検出法が使用されてよい。この整合は、エッジが取得された後に実行される。３つの色成分のうちのいずれかがベースとして選択されてよく、選択されたベースから他の２つの色成分の変位が計算され得る。
【００２２】
本発明の一実施形態によると、各ブロックに対して決定される２つの変位ベクトル（Ｖｘｒｇ，Ｖｙｒｇ）、（Ｖｘｒｂ，Ｖｙｒｂ）が存在し、ここで、Ｖｘｒｇは赤と緑との間のｘ方向の変位であり、Ｖｙｒｇは赤と緑との間のｙ方向の変位であり、一方、Ｖｘｒｂは赤と青との間のｘ方向の変位であり、Ｖｙｒｂは赤と青との間のｙ方向の変位である。上記の例では、赤成分がベースに使用されることが前提とされる。赤、緑、および青の色は、説明だけを目的として３つの色成分を示すための例示的なものであり、本発明の概念に従って別の色が実装され得ることに留意されたい。
【００２３】
画像がブロックに分割される場合には、大きな誤差を除去し、変位変化／移行の値が画像に渡って円滑になるように、全てのデータが処理されるべきである。例えば、ｘまたはｙのいずれかの方向への１次元の３次曲線が用いられてもよいし、または２次元の３次平面が用いられてもよい。もちろん、より低次またはより高次の曲線または平面が使用されてもよい。本発明では、アフィン変換の６つのパラメータを計算するために調整されたパラメータが使用される。各ブロックのアフィン変換を計算するために４つのベクトルが使用され得る。ここで、誤差を減少するために冗長性が使用される。それは、新規の画像のピクセルを古い画像のその対応位置で見つけ、補間によってピクセル値を得るために使用される。新規の画像は、ｄｐｘ、ｙｕｖ、ｒａｗまたはｐｐｍ等のファイルに保存される。位置合わせを検査するためにアフィン変換を使用するベクトル比較が用いられ得るが、ブロックの位置を特徴づけ、これらの位置を比較するために、他の数学的変換およびベクトルが同様に用いられてもよい。
【００２４】
画像は、最初にブロックに分割されてよく、次にエッジ検出が実行されてよく、あるいはまた、最初にエッジが検出されて次にエッジ画面がブロックに分割されてよい。しかしながら、出力は異なることができる。本発明では、画像を分割するために２つのパラメータ、水平方向のブロック数と垂直方向のブロック数が使用され得る。ブロックは、重なり合う、または重なり合わないブロックであってよい。さらに、重なり合い部分が変化し得る。さらに、ブロックサイズがブロック同士で異なっていてよい。ブロックサイズが変化する場合、そのサイズが画像の内容によって決定される。例えば、テクスチャの濃厚な（細かい）領域は小さいブロックを有してもよいし、テクスチャの粗い領域は大きなブロックを有してよい。
【００２５】
図２は、本発明の一実施形態による、登録を提供する方法のフロー図を示す。図２の方法は、処理される画像が提供されるステップ１０２で開始する。画像は、例えば、修復される必要のある仕上げられた画像であってよいし、または後処理される必要のある画像であってよい。画像は、その色成分が分離されて提供されてよく、そこで画像を構成する成分（サブ画像）が提供される。例えば、図３は、本発明の一実施形態による、合成画像に対する３つの色成分画像が示される説明図を示す。図３では、イエロー成分１０４、シアン成分１０６、およびマゼンタ成分１０８が提供される。図２の方法に関して、初期の登録の検査を可能にするために、画像が初期に登録されることが好ましい。色成分は、成分のデジタル表現画像を含むことが好ましい。
【００２６】
図２に参照を戻すと、ステップ１１０で、３つの成分の各々がブロックに分割される。これらのブロックは、レジスタ１２（図１）へのコントローラ入力２４に従って、サイズの決定および重なり合わせがされてよい。コントローラ入力２４は、画像の精度および解像度ならびにそれらの内容に基づいてブロックサイズ、重なり合わせおよび数を決定するためのパラメータを提供する。ブロックは、例えば、全てのブロックに関する同じサイズに基づいて、検討されてもよい。ブロックは、例えば、それらの近隣のブロックのうちの１つと５０％の重なり合わせを有してよい。別の重なり合わせ量、または重なり合わせなしが用いられてもよく、ブロックは、アプリケーションに応じて異なる大きさで規定されてもよい。
【００２７】
図２の方法のステップ１２０で、重なり合わないブロックが処理される。例えば、図４は、本発明の一実施形態による、画像内での重なり合わないブロックおよび重なり合うブロックを、各々示すために実線または点線によって規定されたブロックを示す説明図を示す。図４で、例示目的で、実線の境界を有するブロックは、実線の境界を有する別のブロックと重なり合わないが、別の近接する破線の境界を有するブロックと重なり合う。図４の画像は、この例で４つだけの重なり合わないブロックを有する。４つのブロックは全て、実線の境界を有し、ブロック１２１はＢ１１、Ｂ１２、Ｂ２１、Ｂ２２を含み、ブロック１２２はＢ１３、Ｂ１４、Ｂ２３、Ｂ２４を含み、ブロック１２３はＢ３１、Ｂ３２、Ｂ４１、Ｂ４２を含み、ブロック１２４はＢ２２、Ｂ３４、Ｂ４３、Ｂ４４を含む。この場合、画像は重なり合わせなしの２×２ブロックに分割される。
【００２８】
本発明のデータ処理は、各ブロックに対する変位ベクトルを使用することを含む。各ベクトルは、ベース色成分エッジマップと色成分エッジマップとの間の水平および垂直方向の変位を示す。固定されたブロックサイズを有するｍ×ｎブロックの画像の場合、４つデータセットＶｉｊ１ｘ、Ｖｉｊ１ｙ、Ｖｉｊ２ｘ、Ｖｉｊ２ｙがある。各ブロックに対して２つの変位ベクトル（Ｖｘｒｇ，Ｖｙｒｇ）、（Ｖｘｒｂ，Ｖｙｒｂ）があり、ここでＶｘｒｇは、赤（シアン）と緑（マゼンタ）との間のｘ方向、Ｖｙｒｇは、ｙ方向の変位であり、一方、ＶｘｒｂおよびＶｙｒｂは赤と青（イエロー）との間の変位である。上記の例では、赤成分がベースに使用されていることが前提にされている。改善が達成されているかどうかをＱＣが決定できるように、画像を移動するためにアフィンまたは別の変換が用いられる。
【００２９】
図２の方法に参照を戻すと、ステップ１３０で、重なり合うブロックが処理される。ブロックが少なくとも１つの境界で重なり合う場合、ブロックが重なり合うとみなされる。例えば、図５は、本発明の一実施形態による、図４の９つの重なり合うブロックを示す説明図を示す。この例では、合計９つの重なり合うブロックが存在する。前の重なり合わないブロックに加えて、以下の重なり合うブロックを含む（図４および５を参照）。
【００３０】
ブロック１３５：Ｂ１２、Ｂ１３、Ｂ２２、Ｂ２３
【００３１】
ブロック１３６：Ｂ２１、Ｂ２２、Ｂ３１、Ｂ３２
【００３２】
ブロック１３７：Ｂ２２、Ｂ２３、Ｂ３２、Ｂ３３
【００３３】
ブロック１３８：Ｂ２３、Ｂ２４、Ｂ３３、Ｂ３４
【００３４】
ブロック１３９：Ｂ３２、Ｂ３３、Ｂ４２、Ｂ４３
【００３５】
これらの重なり合うブロックは冗長であるが、分析にこれらを含むことは精度を向上させる。
【００３６】
図２の方法のステップ１４０で、位置合わせを品質検査するために画像が再結合される。例えば、図６は、本発明の一実施形態による、修正されるべきわずかに誤登録されたブロックを示す説明図を示す。すなわち、図６は、再結合された画像を含む。図６では、１つのブロック１２４は、３つの色に関してよく位置合わせされていない。
【００３７】
図２の方法のステップ１５０で、品質検査装置は、誤登録されたブロックを修正する。すなわち、ＱＣ１６（図１）は、例えば、ブロックに関する検索範囲を増大させること、ブロックサイズを変化させること、ブロックを重なり合わせること、ブロックを手動で移動させること（例えば、ベース色成分に関して成分のうちの２つを移動させる）を含み得る、複数のオプションを有する。ＱＣ１６は、ブロックを対話式に移動させることが可能である。ブロックが移動された後、隣接するブロックおよびこのブロックのピクセルが再補間される。この処理は、例えば、シアンもしくはイエロー、または両方の成分に適用され得る。ブロックがハイライトされている場合、そのブロックは手動で移動／修正されることが可能であり、または自動で移動／修正されることが可能である（以下でステップ１５５で説明される）。本発明の一実施形態では、ブロックが手動で移動される場合には、ブロックが各移動の後に表示される。ＱＣ１６が位置合わせで満足される場合、画像をステップ１８０で再登録するために命令が送信される。
【００３８】
ステップ１５５で、ブロックが自動で移動／修正される場合には、ステップ１６０で位置セットが表示され、ＱＣ１６が最良の位置を選択可能である。本発明の種々の実施形態では、前に選択された位置に近い別の位置セットが表示され、ＱＣ１６が新規に提供された位置から最良の位置を選択する。この処理は、ＱＣ１６が最終のブロック選択を行うまで継続され得る。
【００３９】
本発明の実施形態によると、ブロックを表示するために少なくとも２つのオプションが存在する。第１のオプションは、画像を表示することであり、他方はエッジを表示することである。これらのオプションは、ステップ１７０でＱＣ１６によって本発明に従って選択され得る。選択された表示は、図２の方法の方法ステップを実行するために用いられ得る。例えば、画像は、最初にブロックに分割されて次にエッジ検出が実行されてもよいし、またはエッジが最初に検出されて次にエッジ画像がブロックに分割される。本発明では、Ｃａｎｎｙエッジ検出器等のあらゆる既存のエッジ検出器が使用され得る。本発明の一実施形態では、エッジの全てが単一ピクセル集中部分（thick）であることが好ましい。本発明のエッジ整合は、ベース色エッジ画像上に開かれている検索窓を含み得る。検索窓の各位置に対し、非ベース色エッジブロックがベース色と比較される。整合しないエッジ点の数が計算され、最小数が最良の整合（最良に整合したベクトル）として選択される。あるいはまた、整合するエッジ点の数が計算され、最大数が最良の整合として選択される。決定された最良の整合は、誤差を回避するために検査され得る。ステップ１８０で、いずれかまたは全ての修正または移動の後に、画像が再登録され得る。
【００４０】
図７は、本発明の一実施形態による、修正されるべき図６の位置合わせのずれたブロック１２４を示す説明図を示す。図７では、図６の位置合わせのずれたブロック１２４の重なり合うエッジが明らかに見られる。本発明によると、ＱＣ１６は、ブロック１２４を選択し、より良い位置合わせが提供されるまでブロックを移動してもよいし、またはＱＣ１６が最良に位置合わせされた画像を選択可能になるまでブロック１２４を移動するために自動的な方法が用いられてもよい。図８は、本発明の一実施形態による、位置合わせされた図７のブロックを示す図である。図８で示されるように、ブロック１２４は、上述したように位置合わせされており、前の位置合わせのずれの色をもはや含んでいない。図９は、本発明の一実施形態による、登録された図８の再位置合わせされた画像を示す説明図を示す。図９に示されるように、本発明の上記で説明された概念に従って、前に位置合わせのずれた図６および図７の色成分画像が登録されている。
【００４１】
図１０は、本発明の一実施形態による、品質検査装置制御パネル（quality checker control panel）を示す。すなわち、図１０は、画像の手動または自動の登録を可能にし、品質検査装置により容易に検査可能な改善された補間画像を生成するためにイエロー、シアン、およびマゼンタ（ＹＣＭ）画像等の色成分画像を登録する信頼できて繰り返し可能な方法を提供する、グラフィカルユーザインターフェースを示す。登録は、デジタル領域で実行されることが好ましい。図１０の制御パネル２００は、画面またはディスプレイ２０２を含むスタンドアロン式ワークステーションであってもよいし、またはコンピュータ上のグラフィカルユーザインターフェースとしてソフトウェアで実装されてもよい。制御２１０〜２３０は、制御パネル２００の実装に応じて、実際のつまみ／スティックおよび／またはボタン、あるいは仮想的なつまみ／スティックおよび／またはボタンを含んでよい。ディスプレイ２０２は、品質検査および画像の修正を可能にするために、登録された画像または画像成分を見るための領域を含む。ユーザに制御されるカーソル（図示せず）が、制御をアクティブにし、画面２０２のアクティブな部分をハイライトするかまたは作るために画面上で用いられてよい。制御パネル２００の一部としてまたは別個に保持され得るマウス、キーパッド、ジョイスティック、またはその他の選択／ポインティングデバイス２４０を使用して、カーソルが採用および移動されてよい。
【００４２】
本発明の一実施形態では、画面２０２の領域２０４が、誤登録を回避するためにブロックが再位置合わせされるように、ブロックに分割された画像のイエロー成分を含み得る。固定された画像の予備表現が位置合わせ領域２０８に示され得るのに対し、領域２０６が元の画像を含み得る。領域２０４、２０６、および２０８は、例示目的だけで説明される。これらの領域は、身近のアプリケーションに対して最も適した窓を含み得る多くの別のアプリケーションに関して用いられてよい。
【００４３】
例えば、領域２０４では、ブロック（例えば、ブロック１２４）が選択され、制御２１２を使用してハイライトされ、制御２１４を使用して操作されてよい。不適切な重なり合わせ、または位置合わせのずれが生じた場合には、ブロック１２４が、例えば、領域制御２１０を使用することにより検索範囲を増大または減少させることによって、またはサイズ制御２１６を使用することによりブロックサイズを増大または減少させることによって、修正され得る。ブロックの修正または移動の後に、登録ボタン２２４を起動することによって再登録作業が実行され得る。ブロック重なり合わせ決定および表示が、重なり合わせボタン２２２を起動することによって提供され得る。本発明によると、各々が異なる色成分に対応するボタン２１８、２１９、および／または２２０を起動することによって、品質検査および修正段階のあらゆる段階で、画像に対して色成分が示され得る。
【００４４】
制御パネル２００が、写真、フィルム、またはあらゆるその他のデジタル媒体に対して用いられ得るため、画像の複数のフレームが修正および検査され得る。再生ボタン２２６が、フィルムを、フィルムがボタン２２８を使用して停止され得る適切な位置に動作させ得る。次のフレームへの前進は、ボタン２３０を起動することによって実行され得る。図１０で説明されて示される機能および特性の代わりに、またはこれに加えて、他の機能および特性、またはより少ない機能および特性が含まれ得ることに留意されたい。
【００４５】
本発明の概念に従って処理される画像が２つの成分だけを含んでよく、そのような成分がＲ、Ｇ、Ｂ、などの任意の色成分であってよいことが、当業者には理解されるであろうし、本発明の教示によって情報提供される。すなわち、本発明の位置合わせプロセスは、３つの成分に同時に適用される代わりに、最初に２つの成分、例えば、ＣおよびＭに適用され、次に２つの別の成分、例えば、ＹおよびＭに適用されてよい。本発明に従って、処理の他の成分の組合せおよび順序が同様に用いられ得る。
【００４６】
（例示的であり限定するものではないことが意図される）色成分登録のシステム、方法、およびグラフィカルユーザインターフェースに関する好適な実施形態が説明されてきたが、上記教示の観点から当業者によって修正および変形がなされ得ることに留意されたい。それゆえに、添付の特許請求の範囲により概略が説明されるように本発明の精神と範囲内で開示された本発明の特定の実施形態に変更がなされ得ることを理解するべきである。前述は本発明の種々の実施形態に方向付けられているが、本発明の別のおよびさらなる実施形態がそれらの基本的な範囲から逸脱することなしに考案され得る。そのように、本発明の適切な範囲は、特許請求の範囲に従って決定されるべきである。
【図面の簡単な説明】
【００４７】
【図１】本発明の一実施形態による、登録および品質制御のシステムの高レベルブロック図を示す説明図である。
【図２】本発明の一実施形態による、登録を提供する方法のフロー図を示す説明図である。
【図３】本発明の一実施形態による、合成画像に対する３つの色成分画像を示す説明図である。
【図４】本発明の一実施形態による、画像内での重なり合わないブロックおよび重なり合うブロックを、各々、示すために実線および点線によって規定されたブロックを示す説明図である。
【図５】本発明の一実施形態による、図４の９つの重なり合うブロックを示す説明図である。
【図６】本発明の一実施形態による、修正されるべきわずかに誤登録されたブロックを示す説明図である。
【図７】本発明の一実施形態による、修正されるべき図６の位置合わせのずれたブロックを示す説明図である。
【図８】本発明の一実施形態による、修正されている図７の位置合わせのずれたブロックを示す説明図である。
【図９】本発明の一実施形態による、再登録される図８の再位置合わせされた画像を示す説明図である。
【図１０】本発明の一実施形態による品質検査装置制御パネルを示す説明図である。
【図１】
2009519676.tif 000003
【図２】
2009519676.tif 000004
【図３】
2009519676.tif 000005
【図４】
2009519676.tif 000006
【図５】
2009519676.tif 000007
【図６】
2009519676.tif 000008
【図７】
2009519676.tif 000009
【図８】
2009519676.tif 000010
【図９】
2009519676.tif 000011
【図１０】
2009519676.tif 000012
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
画像登録の方法であって、
登録される画像の色成分をそれぞれのブロックに分割するステップであって、前記色成分の中の少なくとも１つの前記ブロックの少なくとも２つが重なり合う、ステップと、
前記色成分の中の対応するブロックを結合して、前記色成分の中の対応するブロックの間の位置合わせを検査するステップと、
修正する少なくとも１つのブロックを選択して位置合わせを改善するステップと、
前記選択された少なくとも１つのブロックに対して異なるブロック位置を提供するステップと、
前記選択された少なくとも１つのブロックに対して、前記提供された異なるブロック位置から位置合わせを最も改善するブロック位置を選択するステップと、
前記ブロックを再登録するステップと
を備えることを特徴とする方法。
【請求項２】
画像オプションおよびエッジオプションの間で選択して、位置合わせを最も改善するブロック位置を決定するステップをさらに備えることを特徴とする請求項１に記載の方法。
【請求項３】
登録するステップは、ユーザインタフェースから登録デバイスに登録命令を発行するステップを含むことを特徴とする請求項１に記載の方法。
【請求項４】
前記選択された少なくとも１つのブロックは、ユーザインタフェースを使用して前記選択されたブロック位置に移動することを特徴とする請求項１に記載の方法。
【請求項５】
画像処理のシステムであって、
登録される画像を形成するために成分画像を登録し、かつ前記登録される画像の色成分をそれぞれのブロックに分割するように構成された登録デバイスであって、前記色成分の中の少なくとも１つの前記ブロックの少なくとも２つが重なり合う、登録デバイスと、
登録される画像を受信し、前記色成分の対応するブロックを結合して位置合わせを検査し、修正する少なくとも１つのブロックを選択して位置合わせを改善し、前記選択された少なくとも１つのブロックに対して異なるブロック位置を提供し、前記選択された少なくとも１つのブロックに対して、前記提供された異なるブロック位置から位置合わせを最も改善するブロック位置を選択する、品質制御デバイスと
を備えることを特徴とするシステム。
【請求項６】
前記品質制御デバイスに入力される前に前記登録される画像を記憶する記憶デバイスをさらに備えることを特徴とする請求項５に記載のシステム。
【請求項７】
前記画像の前記色成分は、イエロー、シアン、およびマゼンタ成分のうちの少なくとも２つを含むことを特徴とする請求項５に記載のシステム。
【請求項８】
前記登録デバイスは、前記品質制御デバイスからの登録命令に従って前記個々の１つまたは複数のブロックを登録するように構成されていることを特徴とする請求項５に記載のシステム。
【請求項９】
画像登録に対するユーザインタフェースをさらに含み、
前記ユーザインタフェースは、
画像の少なくとも一部の少なくとも色成分を表示するように構成されたディスプレイと、
前記色成分の少なくとも１つの選択を可能にするように構成された選択手段と、
前記色成分の登録に対する調整を行うために前記色成分の操作を可能にするように構成された少なくとも１つの制御手段と、
を備えることを特徴とする請求項５に記載のシステム。
【請求項１０】
請求項９に記載のユーザインタフェースであって、
前記少なくとも１つの制御手段は、ソフトウェアで実装されていることを特徴とするユーザインタフェース。
【請求項１１】
請求項９に記載のユーザインタフェースであって、
前記少なくとも１つの制御手段は、機械的な制御機構を介して実装されていることを特徴とするユーザインタフェース。
【請求項１２】
請求項９に記載のユーザインタフェースであって、
前記少なくとも１つの制御手段は、検索範囲制御、ブロック移動制御、ブロックハイライト制御、およびブロックサイズ制御のうちの少なくとも１つを含むことを特徴とするユーザインタフェース。
【請求項１３】
請求項９に記載のユーザインタフェースであって、
前記少なくとも１つの制御手段は、画像前進制御、停止画像制御、および再生制御のうちの少なくとも１つを含むことを特徴とするユーザインタフェース。
【請求項１４】
請求項９に記載のユーザインタフェースであって、
前記少なくとも１つの制御手段は、イエロー、シアン、およびマゼンタ色成分の間で選択するための制御手段を含むことを特徴とするユーザインタフェース。
【請求項１５】
請求項９に記載のユーザインタフェースであって、
前記少なくとも１つの制御手段は、ブロック重なり合わせ決定制御手段を含むことを特徴とするユーザインタフェース。
【請求項１６】
機械により可読なプログラム記憶媒体であって、
画像に対して色成分の登録を提供するステップと、
各色成分をブロックに分割するステップであって、前記色成分の中の少なくとも１つの前記ブロックの少なくとも２つが重なり合う、ステップと、
他のブロックと重なり合うブロックおよび重なり合わないブロックを決定するステップと、
前記ブロックおよび前記色成分を再結合して、前記色成分およびブロックの間の登録を検査するステップと、
登録を改善するために少なくとも１つのブロックを修正するステップと、
前記ブロックを再登録するステップと
を実行するために前記機械によって実行可能な命令のプログラムを明白に具現化することを特徴とするプログラム記憶媒体。
【国際調査報告】
2009519676.tif 000013
2009519676.tif 000014
2009519676.tif 000015